(57)【要約】      （修正有）【課題】差込み接続部を覗き込むことなしに、すでに差し込まれた接続が正確であるかどうかを検査することが可能となるようにする。【解決手段】検出装置が設けられており、該検出装置が、分析装置７とデータ伝送装置８とを有しており、分析装置７が、ロックエレメント５の位置を検出するために形成されており、データ伝送装置８が、ロックエレメント５の、規定された位置を伝送するために形成されているようにした。【選択図】図１
2004207244.tif 000002
【特許請求の範囲】
【請求項１】
ロックエレメントを有するコネクタと、ソケットとの間の、正確に実施された電気的な差込み接続を検出するための差込み検査装置において、検出装置が設けられており、該検出装置が、分析装置（７）とデータ伝送装置（８）とを有しており、分析装置（７）が、ロックエレメント（５）の位置を検出するために形成されており、データ伝送装置（８）が、ロックエレメント（５）の、規定された位置を伝送するために形成されていることを特徴とする、正確に実施された電気的な差込み接続を検出するための差込み検査装置。
【請求項２】
スイッチ（１３）が、ロックエレメントの下方に配置されている、請求項１記載の差込み検査装置。
【請求項３】
ロックエレメント（５）に開口（１６）が設けられており、該開口（１６）を通して発光ダイオード（１５）が、ロックエレメント（５）の、規定された位置で光電池（１７）に放射するようになっている、請求項１記載の差込み検査装置。
【請求項４】
検出装置が、チップエレメントに配置されている、請求項１から３までのいずれか１項記載の差込み検査装置。
【請求項５】
検出装置が、トランスポンダを有している、請求項１から４までのいずれか１項記載の差込み検査装置。
【請求項６】
データ伝送装置（８）に結合されている受信ユニット（９）が、手首に組付け可能である、請求項１から５までのいずれか１項記載の差込み検査装置。
【請求項７】
受信ユニット（９）が、結果を記憶するためのメモリを有している、請求項１から６までのいずれか１項記載の差込み検査装置。
【発明の詳細な説明】
【技術分野】
【０００１】
本発明は、ロックエレメントを有するコネクタと、ソケットとの間の、正確に実施された電気的な差込み接続を検出するための差込み検査装置に関する。
【背景技術】
【０００２】
前述した形式の差込み接続部は、コネクタと、ソケットと、差込み接続を確保するロックエレメントとから成っていて、多種多様な構成で知られている。特に自動車構造には、このような差込み接続部が使用される。この差込み接続部は、組付けラインでの組付けプロセスの間にオペレータによって差し込まれる。差込み接続が正確に実施されたかどうかの検査は一般的に行われていない。
【０００３】
そこには、このような差込み接続部が正確にかつ完全に差し込まれているかどうかの種々異なる検査可能性がある。ここでは、特に公知先行技術に基づき、視覚的な検査、たとえばカバーエレメントによって、電気的な差込み接続が正確に実施されているかまたは実施されていないかを見ることができるように形成された差込み接続部が公知である。
【０００４】
一般的に差込み接続は、特に自動車構造において極めて見通しの悪い箇所に生ぜしめられ得る。このことには、特に公知先行技術によって公知の視覚的な検査がここでは使用不可能であるという欠点がある。なぜならば、オペレータは差込み接続部を「目にすることなしに」形成しなければならず、したがって、視覚的な検査を行うための可能性がオペレータに提供されていないからである。
【０００５】
電気的な差込み接続部が全て完成した場合に初めて、可能な場合には、不足が認識される。しかし、多数の差込み接続部に基づき、誤り差込みを認識することはもはや不可能であるかまたはより高い手間をかけてしか可能とならない。
【発明の開示】
【発明が解決しようとする課題】
【０００６】
したがって、本発明の課題は、冒頭で述べた形式の差込み検査装置を改良して、差込み接続部を覗き込むことなしに、すでに差し込まれた接続が正確であるかどうかを検査することが可能となるようにすることである。
【課題を解決するための手段】
【０００７】
この課題を解決するために本発明の構成では、検出装置が設けられており、該検出装置が、分析装置とデータ伝送装置とを有しており、分析装置が、ロックエレメントの位置を検出するために形成されており、データ伝送装置が、ロックエレメントの、規定された位置を伝送するために形成されているようにした。
【発明の効果】
【０００８】
本発明の核を成す思想は、データ伝送によって、差込み接続の状態が定置のまたは可動の受信部分に伝送され、これによって、オペレータが、受信部分につき差込み接続を判定することができるように差込み検査装置を形成することにある。
【０００９】
本発明は、特に車両組付け時の自動車における差込み接続時の差込み接続部を検出する場合のチェックシステムとして適している。使用のためには、高磁極であるかまたは低磁極であるかと無関係にあらゆるコネクタハウジングを本発明による装置のために提案することができる。
【００１０】
慣用の差込み接続部が追補的に本発明による装置を装備することもできるので、すでに極めて手間をかけて形成されたコネクタとソケットとの組換えが不要となる。
【００１１】
主に検出装置から成る差込み検査装置がマイクロチップに配置され、このマイクロチップが、たとえばコネクタハウジングにまたはコネクタケーシングに設けた切欠きに接着されるかもしくは位置固定されると有利である。
【００１２】
差込み接続部が正確に形成されているか否かの分析は分析ユニットが引き受ける。
【００１３】
この分析ユニットは、ロックエレメントがソケットに差し被せられる前にとる位置に対するロックエレメントの位置を確認するというタスクを有している。差被せ動作の間、ロックエレメントの自由端部が持ち上り、これによって、たとえば分析ユニットの一部であるコンタクトエレメントが解放される。他方では、この信号がデータ伝送装置に引き続き伝送され、差込み接続が正確に実施されたことを表示する。
【００１４】
択一的な構成では、ロックエレメントの位置が光学的に走査される。ロックエレメントの位置の別の確認装置は公知先行技術に基づき公知である。
【００１５】
データ伝送装置が信号を受信ユニットに伝送すると有利である。この受信ユニットは外部、すなわち、差込み接続部の活動範囲外に配置されている。受信ユニットは、差込み接続が正確に実施されたか否かをオペレータが知ることができる信号を送信することができる。
【００１６】
有利な構成では、受信ユニットがオペレータの手首に配置されている（時計と比較可能）。この配置によって、オペレータは、差込み接続が正確に実施されたか否かを差込み動作の間に直接認知する。仮にオペレータが１つの信号を見落とした場合には、有利には、受信ユニットがコネクタの相応の座標を記憶していて、この誤り報知を中央ユニットに引き続き伝送するので、中間検査時にまたは最終検査時により大きな手間をかけることなしに、どの差込み接続部が正確に形成されていないかを確認することができる。
【００１７】
形成された差込み接続部の質を記録する証明記録装置が形成されても有利である。
【００１８】
別の有利な構成は、以下の説明、図面の簡単な説明および特許請求の範囲から明らかとなる。
【発明を実施するための最良の形態】
【００１９】
以下に、本発明を実施するための最良の形態を図面につき詳しく説明する。
【００２０】
図１には、正確に実施された電気的な差込み接続を検出するための差込み検査装置１が示してある。電気的な差込み接続部２はソケット３とコネクタ４とから成っている。このコネクタ４にはロックエレメント５が配置されている。このロックエレメント５は、ロックされた状態で、ソケット３の面に配置された突起６に上方から係合していて、したがって、耐震性のもしくは耐振性の差込み接続を保証している。
【００２１】
差込み接続部が差し込まれている場合には、分析装置７が差込み接続部２の状態を検出し、信号を生ぜしめる。この信号はデータ伝送装置８に伝送される。
【００２２】
ここに図示した実施例では、データ伝送装置が、有利には差込み接続部の識別による、正確に実施された差込みプロセスの肯定応答を後続の受信部分９に伝送する。この受信部分９は、有利には共同作業者の手首１０に配置されている。受信部分９に表示された状態につき、オペレータは、差込みプロセスの終了直後に差込み接続部の質を認知することができる。仮にこの信号がオペレータによって認知され得ないかまたは判別され得ない場合には、有利には、中央の制御ユニット１２への前記肯定応答と差込み接続部の識別とのさらなる伝送１１が行われる。中央の制御ユニット１２が再び相応の差込み接続部を管理し、作業プロセスの任意の箇所における誤り報知を再び送信し、これによって、ここで補正が実施される。
【００２３】
図２ａおよび図２ｂには、差込み接続部の分析の原理が示してある。図２ａには、まだ生ぜしめられていない差込み接続が示してある。この位置では、ロックエレメント５によってスイッチ１３が操作されている。このスイッチ１３は分析装置７の一部として形成されている。矢印方向１４へのコネクタの運動によって、ロックエレメントが開放し、図２ｂに示したように、スイッチ１３を解放する。次いで、オペレータに相応の信号を伝送するために、すでに図１で説明した報知プロセスが行われる。
【００２４】
図３には、択一的な構成が示してある。ここに図示した分析装置７′は発光ダイオード１５を有している。この発光ダイオード１５は、ロックされていない状態でカバーされている。差込み接続部が形成されるやいなや、開口１６が解放され、ここで図３には詳しく示していない光電池１７が照明される。この光電池１７も同じく相応の信号をデータ伝送装置８に送出し、したがって、電気的な差込み接続部が完全に形成されたことを表示する。
【図面の簡単な説明】
【００２５】
【図１】１回の作業プロセスの間の本発明による差込み検査装置の概略図である。
【００２６】
【図２ａ】ロックエレメントを備えたコネクタのための差込み検査装置の構成を、差し込まれていない位置で示す概略図である。
【００２７】
【図２ｂ】ロックエレメントを備えたコネクタのための差込み検査装置の構成を、差し込まれた位置で示す概略図である。
【００２８】
【図３】図２ａに示した差込み検査装置の変化形を、差し込まれていない位置で示す図である。
【符号の説明】
【００２９】
１  差込み検査装置、  ２  差込み接続部、  ３  ソケット、  ４  コネクタ、  ５  ロックエレメント、  ６  突起、  ７，７′  分析装置、  ８  データ伝送装置、  ９  受信部分、  １０  手首、  １１  伝送、  １２  制御ユニット、  １３  スイッチ、  １４  矢印方向、  １５  発光ダイオード、  １６  開口、  １７  光電池
【図１】
2004207244.tif 000003
【図２ａ】
2004207244.tif 000004
【図２ｂ】
2004207244.tif 000005
【図３】
2004207244.tif 000006